(57)【要約】      （修正有）【課題】天板の実質的な長さを伸長でき、かつ、デザイン的にも、使い勝手の良い伸縮テーブルを提供する。【解決手段】伸縮可能なテーブルであって、長さ９００〜１８００ｍｍ、幅９００〜１２００ｍｍの長方形の構造枠体１１で、該枠体内１１に中間位置に２箇所の中間桟枠体を、また該枠体１１の４箇所の隅に４本の脚７を設け、移動テーブル台の主天板１の二枚と中央部に上昇する副天板２を持ち、構造枠体１１の長手枠材の両端位置に取り付けている二枚の主天板１の厚さと同等な厚さで、中央部に幅９００〜１２００ｍｍ、長さ３００〜６００ｍｍである長方形の上昇する天板を構成し、主天板１の下部にピン付きスライドレールと、そのピンの摺動によって各天板１の移動を推進させるガイド溝付きガイド体とを、両サイド面に取り付ける伸縮可能な金具を使用した。【選択図】図１
0003210902.tif 000002
【実用新案登録請求の範囲】
【請求項１】
伸縮可能なテーブルである、長さ９００〜１８００ｍｍ、幅６００〜１２００ｍｍの長方形の構造枠体で、前記枠体内に中間位置に２箇所の中間桟枠体を、また前記枠体の４箇所の隅に４本の脚を設けて、移動テーブル台の主天板の二枚と中央部に上下する天板を持ち、長方形の構造枠体の長手枠材の両側位置に取り付けている二枚の主天板の厚さと同等な厚さで、中央部に幅６００〜１２００ｍｍ、長さ３００〜６００ｍｍである長方形の上下移動可能な天板を持っており、前記主天板の下部にピン付きスライドレールと、そのピンの摺動によって各天板の移動を推進させるガイド溝付きガイド体とを、両縦サイド面に取り付けていることを特徴とする伸縮可能な金具を使用したテーブル。
【請求項２】
ピン付きスライドレールとそのピンの摺動によって天板の移動と上下作動を推進するガイド溝付きガイド体は、スライドレールの摺動によって天板の移動と上昇においてガイド溝付きガイド体を左右に移動できる左右のテーブルに作用して、中央テーブルである副天板を上下作動させ、左右それぞれ主天板のスライドレールの移動によって前記の主天板と副天板との摺動を伴って、構造枠体の中間位置で二枚の主天板の中央部に副テーブルを平面的に位置するようになっていることを特徴とする請求項１に記載の伸縮可能な金具を使用したテーブル。
【請求項３】
伸縮可能なテーブルは、構造枠体での両縦サイドに設けている細長長方形の枠体に、ピン付きスライドレールと、ピンを誘導して摺動する溝付きガイド体とを取り付けて、ピン付きスライドレールでは両側の二枚の左右の主天板の下面を支持し、ピンを誘導して摺動する溝付きガイド体では中央部の副天板の下面を支持させる構造になっており、前記両側の主天板の前端部を左右に摺動することによって、二枚の主天板の中央部に副天板を挟んだ広伸状態とになり、内側方向に両端の主天板を摺動させると二枚の主天板のみの狭縮状態になっていることを特徴とする請求項１、又は請求項２に記載の伸縮可能な金具を使用したテーブル。
【請求項４】
ピン付きスライドレールは、長さ９００〜１８００ｍｍ金属製であって、外側部にレール部を持ち、内側部にスライド部になり、レール部には、摺動をスムーズにさせるためにベヤリングボールを取り付けて、スライド部には中央から端部に摺動できるように両別れの二区分になっており、各区分を１〜４ｍｍφのワイヤーで連結して摺動の補助力と左右同一速度で滑動できるような構造であって、スライド部の両部分の中心部にガイドローラーを取り付けていることを特徴とする請求項１〜請求項３のいずれかに記載の伸縮可能な金具を使用したテーブル。
【請求項５】
ガイド溝付きガイド体は、５００〜１５００ｍｍの長さの樹脂体に７〜１５ｍｍの幅、１０〜２０ｍｍ深さの溝体を彫り込み、前記のスライド部の両部分の中心部に取り付けたガイドローラーをスムーズに摺動できるような構造になって、前記溝体には上段と下段との掘り込みになり、その間隔をテーブル台の厚さにして、上段の溝を前記ガイド体の上部中央には４００〜１０００ｍｍの長さに、下段の溝を下部の両端部一部に左右それぞれ１００〜３００ｍｍの長さに設けて、上段の溝の両端から両下段の溝の中央部に下降傾斜で接合させて、交差した箇所にはガイド溝を摺動するガイドピンの方向を決める作動弁を取り付けて、中央部の副天板を上下作動させて伸縮状態になる仕組みになっていることを特徴とする請求項１〜請求項３のいずれかに記載の伸縮金具を使用したなテーブル。
【考案の詳細な説明】
【技術分野】
【０００１】本考案は、三枚の天板をスライドレールによって調節することで実質的長さを伸縮できるようにしている伸縮名能な金具を使用したテーブルに関するものである。
【背景技術】
【０００２】従来より、テーブルには、必要に応じて天板の実質的な長さを伸ばすことができるようにしたものがある。そして、天板の長さを伸長する際、天板の端部に蝶着された副天板を揺動させ、副天板の上面を天板と面一にするものがある。【０００３】  親テーブルと子テーブルを、簡易な操作で任意の位置においてロックすることができる伸縮テーブルで、親テーブルの中に収容される子テーブルからなり、親テーブルから引き出された子テーブルの天板の天面と親テーブル１の天板の天面を面一に合わせる子天板リフト及びリフト解除を、子テーブルの裏面に配置された引手ハンドルの操作で行う伸縮テーブルを提供されている（特許文献１参照）。【０００４】  天板の実質的な長さを伸長でき、かつ、使い勝手の良いテーブルを提供することを目的として、水平に支持される主天板と、主天板の端部に蝶着される副天板とを備え、主天板と副天板とには、副天板が伸長位置にあるときに直線状に連続するガイド溝が刻設され、スライダは、副天板が収納位置にある際、副天板のガイド溝に接触しない位置まで後退可能であり、副天板が伸長位置にある際、副天板のガイド溝に係合する位置まで前進可能であり、副天板の下面がスライダの下受面に接してスライダにより下受けされる伸長テーブルが提案されている（特許文献２参照）。【０００５】  天板面積を広げた場合でも副天板上に加わる荷重を安定して支持することができ、しかも単純な構造で簡単な操作により伸長できる天板伸長式テーブルとして、主天板の一方の側端に副天板を蝶着し、主天板を支持脚体に対して、主天板だけが支持脚体上に支持される位置と、主天板及び副天板の両方が支持脚体上に支持される位置とに揺動可能にした天板伸長式テーブルを提案されている（特許文献３参照）。【０００６】  天板面積を広げた場合でも副天板上に加わる荷重を安定して支持することができ、しかも単純な構造で簡単な操作により伸長できる天板伸長式テーブルとして、主天板の一方の側端に副天板を蝶着し、主天板を支持脚体に対して、主天板だけが支持脚体上に支持される位置と、主天板及び副天板の両方が支持脚体上に支持される位置とに移動可能に装着する天板伸長式テーブルを提案されている（特許文献４参照）。【０００７】  伸縮自在テーブルに関するものであり、テーブル板の面積を拡大せしめるときに用いられる補填用板体の収納を容易にする手段を提供することを目的として、板状体のテーブル板を複数の板体を並列に配列して形成し、その板体の少なくとも１枚をその板面に対して平行な方向に摺動可能に取付け、板体の摺動によって形成した隙間に補填用板体を並列に配設することにより、テーブル板の面積を拡大せしめる伸縮自在テーブルを提案されている（特許文献５参照）。【０００８】  上記のように主天板と副天板を伸縮できるテーブルは提案されている。伸長時、収納伸縮時に操作が複雑で、伸長した時にテーブルの強度と装飾性で劣った。
【先行技術文献】
【特許文献】
【０００９】
【特許文献１】特開２００６−３４６３６２号
【特許文献２】特開平１１−３０９０２０号
【特許文献３】特開平１０−２４３８２３号
【特許文献４】特開平１０−２４３８２２号
【特許文献５】特開平９−２０１２３４号
【考案の概要】
【考案が解決しようとする課題】
【００１０】一般に伸長できるテーブルには、必要に応じて折り畳みの天板の実質的な長さを伸ばすことができるようにしたものがある。そして、折り畳み部分を持ち上げて、天板の長さを伸長する際、天板の端部に蝶着された副天板を揺動させ、副天板の上面を天板と面一にするものがあるが、使用する場合に不便さを感じる。【００１１】しかし従来の伸縮できるテーブルでは、伸長させる二枚主天板を利用する際に、副天板を支持する下受部材が、利用者の足下を邪魔になったり、外部から目に付きやすく、組み立てで煩雑になっているなど、使い勝手に難点があった。【００１２】  本考案は、主天板と副天板の実質的な長さを伸長でき、かつ、デザイン的にも、使い勝手の良い伸縮テーブルを提供することを目的とする。
【課題を解決するための手段】
【００１３】伸縮可能なテーブルである、長さ９００〜１８００ｍｍ、幅６００〜１２００ｍｍの長方形の構造枠体で、前記枠体内に中間位置に２箇所の中間桟枠体を、また前記枠体の４箇所の隅に４本の脚を設けて、移動テーブル台の主天板の二枚と中央部に上下する天板を持ち、長方形の構造枠体の長手枠材の両側位置に取り付けている二枚の主天板の厚さと同等な厚さで、中央部に幅６００〜１２００ｍｍ、長さ３００〜１０００ｍｍである長方形の上下移動可能な天板を持っており、前記主天板の下部にピン付きスライドレールと、そのピンの摺動によって各天板の移動を推進させるガイド溝付きガイド体とを、両縦サイド面に取り付けている伸縮可能な金具を使用したテーブルである。【００１４】ピン付きスライドレールとそのピンの摺動によって天板の移動と上下作動を推進するガイド溝付きガイド体は、スライドレールの摺動によって天板の移動と上昇においてガイド溝付きガイド体を左右に移動できる左右のテーブルに作用して、中央テーブルである副天板を上下作動させ、左右それぞれ主天板のスライドレールの移動によって前記の主天板と副天板との摺動を伴って、構造枠体の中間位置で二枚の主天板の中央部に副テーブルを平面的に位置するようになっている。【００１５】伸縮可能なテーブルは、構造枠体での両縦サイドに設けている細長長方形の枠体に、ピン付きスライドレールと、ピンを誘導して摺動する溝付きガイド体とを取り付けて、ピン付きスライドレールでは両側の二枚の左右の主天板の下面を支持し、ピンを誘導して摺動する溝付きガイド体では中央部の副天板の下面を支持させる構造になっており、前記両側の主天板の前端部を左右に摺動することによって、二枚の主天板の中央部に副天板を挟んだ広伸状態とになり、内側方向に両端の主天板を摺動させると二枚の主天板のみの狭縮状態になっている。【００１６】ピン付きスライドレールは、長さ９００〜１８００ｍｍ金属製であって、外側部にレール部を持ち、内側部にスライド部になり、レール部には、摺動をスムーズにさせるためにベヤリングボールを取り付けて、スライド部には中央から端部に摺動できるように両別れの二区分になっており、各区分を１〜４ｍｍφのワイヤーで連結して摺動の補助力と左右同一速度で滑動できるような構造であって、スライド部の両部分の中心部にガイドローラーを取り付けている。【００１７】ガイド溝付きガイド体は、５００〜１５００ｍｍの長さ、５０〜１００ｍｍ幅の樹脂体に７〜１５ｍｍの幅、１０〜２０ｍｍ深さの溝体を彫り込み、前記のスライド部の両部分の中心部に取り付けたガイドローラーをスムーズに摺動できるような構造になって、前記溝体には上段と下段との掘り込みになり、その間隔をテーブル台の厚さにして、上段の溝を前記ガイド体の上部中央には６００〜８００ｍｍの長さに、下段の溝を下部の両端部一部に左右それぞれ１００〜３００ｍｍの長さに設けて、上段の溝の両端から両下段の溝の中央部に下降傾斜で接合させて、交差した箇所にはガイド溝を摺動するガイドピンの方向を決める作動弁を取り付けて、中央部の副天板を上下作動させて伸縮状態になる仕組みになっている。
【考案の効果】
【００１８】  本考案は、以上のように構成したので、二枚の主天板と副天板からなる天板の実質的な長さを変更できるだけでなく、邪魔な部材を持たず、テーブルの脚もすっきりした収まりのテーブルを実現でき、使い勝手を大幅に向上できる。【００１９】  本考案の伸縮テーブルによれば、テーブルから二枚の主天板を引き出され伸長状態にある簡単な操作で、副天板を主天板に浮上させることができる。このため、主天板と副天板における天板の天面は面一となり、使い勝手がよくなる。また、任意の位置を、少なくとも収納位置及び使用最大伸長位置とすれば、不意の衝撃などにより、副天板が飛び出すことはなく、収納状態において引き出す際の思わぬ事故も回避できる。【００２０】  天板の実質的な長さを変更できるだけでなく、邪魔な部材を持たず、すっきりした収まりのテーブルを実現でき、使い勝手を大幅に向上できる。天板全体が支持脚体に対して水平方向に移動するため、天板を広げた状態でも、支持脚体から天板の片側だけがあまり横にせり出した形状にならず、転倒の危険は小さくなる。しかも、その伸長作業は、副天板の姿勢を変えて押すか引くだけと、きわめて単純で、作業し易い、簡単な機構で確実な伸長作業を行うことができる。
【図面の簡単な説明】
【００２１】
【図１】伸縮可能な金具を使用したテーブルの斜視図  Ａ：テーブル斜視図  Ｂ：テーブル透過構造図
【図２】伸縮可能な金具を使用したテーブルを伸長させた斜視図  Ａ：テーブル斜視図  Ｂ：テーブル透過構造図
【図３】伸縮可能な金具を使用したテーブルのピン付きスライドレールの構造図  Ａ：平面の伸長時  Ｂ：平面の収縮時  Ｃ：側面の伸長時  Ｄ：側面の収縮時
【図４】伸縮可能な金具を使用したテーブルのガイド体の状態図  Ａ：正面図  Ｂ：断面図
【図５】伸縮能な金具を使用したテーブルでのスライドレールとガイド体の連結体の状態図  Ａ：副天板の格納時  Ｂ：副天板の展開時
【図６】伸縮可能な金具を使用したテーブルの構造枠体の図  Ａ：テーブル構造枠体の平面  Ｂ：横側面  Ｃ：縦側面
【考案を実施するための形態】
【００２２】  本考案のテーブルでは、４本の脚により水平に支持される主天板と、前記主天板の端部に伸長できる副天板とを備え、副天板の裏面に取り付けている伸長棒によって、前記主天板の下面に、スライドレールにてガイド体の溝に沿ってスライドさせることによって、副天板を収納できるようにして、伸長時にその副天板の上面が前記主天板の上面と面一になる伸長位置との間で揺動できる。
【００２３】  また副天板の下部に取り付けられた伸長棒が幕板の溝で支持され、前記主天板と前記副天板とには、前記副天板が伸長位置にあるときにピン付きスライドレールと溝付きガイド板とに並設され、前記幕板とガイド体の溝には、スライドレールが、スライドを自在に係合できるようにしており、前記スライドレールには、収納位置にある際に前記副天板を、上昇移動できるようにしている。
【実施例１】
【００２４】図１、図２で示すよう伸縮能なテーブルである、図６の長さ１４００ｍｍ、幅９００ｍｍの長方形の構造枠体で、前記枠体内に中間位置に２箇所の中間桟枠体を、また前記枠体の４箇所の隅に４本の脚を設けて、移動テーブル台の主天板の二枚と中央部に上昇する天板を持ち、長方形の構造枠体の長手枠材の両端位置に取り付けている二枚の主天板の厚さと同等な厚さで、中央部に長さ４００ｍｍ、幅９００ｍｍである長方形の上昇天板を持っており、図３に示すように前記主天板の下部にピン付きスライドレールと、図４に示すようにそのピンの摺動によって各天板の移動を推進させるガイド溝付きガイド体とを、両サイド面に取り付けている伸縮可能な金具を使用したテーブルであった。【００２５】図３のピン付きスライドレールとそのピンの摺動によって天板の移動と上昇をガイド溝付きガイド体は、スライドレールの摺動によって天板の移動と上昇をガイド溝付き基体を左右に移動できる左右のテーブルで、中央テーブルである副天板を上昇して、左右それぞれ天板のスライドレールの移動によって前記の主天板と副天板とを滑動して、二枚の主天板の間に中央副テーブルを構造枠体の間に上昇して挿入できるようになった。【００２６】伸縮可能なテーブルは、構造枠体での両端位置にある細長長方体の枠体に、ピン付きスライドレールと、図４のピンを誘導して摺動する溝付きガイド体とを取り付け、ピン付きスライドレールは両端の主天板を下面で支持し、ピンを誘導して摺動する溝付きガイド体は中央部の副天板を下面で支持する構成になっており、前記両端の主天板の前端部を左右に摺動することによって、二枚の主天板板の中央部に副天板を挟んだ広伸状態とになり、図５に示すように内側に両端を摺動させると二枚の主天板のみ狭縮状態になった。【００２７】ピン付きスライドレールは、長さ１２７０ｍｍ金属製であって、外側にレール部を持ち、内部にスライド部になり、レール部にはボールベヤリングを取り付けて、摺動をスムーズにさせ、スライド部には中央から端部に摺動できるように二区分されており、各区分を１．５ｍｍφのワイヤーで連結して摺動の速度を同一になるような構造であって、スライド部の両部分の中心部の端にガイドロールを取り付けた。【００２８】ガイド溝付きガイド体は、７５０ｍｍの長さの樹脂体に１０ｍｍの幅、深さ１３ｍｍの溝体を彫り込み、溝体を上下二段で上段と下段の幅をテーブル台の厚さにして、前記ガイド体の中央部には上段の溝を５００ｍｍの長さで、両端部の一部に下段の溝を１５０ｍｍの長さで設けて、上段の溝の両端から両下段の溝の中央部に下降傾斜で接合させて、接合箇所にガイド体を取り付けて、ガイド溝を摺動するガイドピンの方向を決めて、中央部の副天板を上昇させて広伸状態になる仕組みにした。
【実施例２】
【００２９】実施例１と同様に、伸縮可能な広幅テーブルである、長さ１８００ｍｍ、幅９００ｍｍの長方形の構造枠体で、前記枠体内に中間位置に２箇所の中間桟枠体を、また前記枠体の４箇所の隅に４本の脚を設けて、移動テーブル台の主天板の二枚と中央部に上昇する天板を持ち、長方形の構造枠体の長手枠材の両端位置に取り付けている二枚の主天板の厚さと同等な厚さで、中央部の幅９００ｍｍ、長さ６００ｍｍである長方形の上昇天板を持っており、前記天板の下部に、ピン付きスライドレールとそのピンの摺動によって天板の移動と上昇をガイド溝付きガイド体とを両サイドに取り付けている伸縮可能な金具を使用したテーブルであった。【００３０】ピン付きスライドレールとそのピンの摺動によって天板の移動と上昇をガイド溝付きガイド体は、スライドレールの摺動によって天板の移動と上昇でガイド溝付き基体を左右に移動できる左右のテーブルで、中央テーブルである副天板を上昇して、左右それぞれ天板のスライドレールの移動によって前記の主天板と副天板とを滑動して、二枚の主天板の間に中央副テーブルを構造枠体の間に上昇して挿入できるようになった。【００３１】伸縮可能なテーブルは、構造枠体での両端位置にある細長長方体の枠体に、ピン付きスライドレールと、ピンを誘導して摺動する溝付きガイド体とを取り付け、ピン付きスライドレールは両端の主天板を下面で支持し、ピンを誘導して摺動する溝付きガイド体は中央部の副天板を下面で支持する構成になっており、前記両端の主天板の前端部を左右に摺動することによって、二枚の主天板板の中央部に副天板を挟んだ広伸状態とになり、内側に両端を摺動させると二枚の主天板のみ狭縮状態になった。【００３２】ピン付きスライドレールは、長さ１５００ｍｍ金属製であって、外側にレール部を持ち、内部にスライド部になり、レール部にはベヤリングボールを取り付けて、摺動をスムーズにさせ、スライド部には中央から端部に摺動できるように二区分されており、各区分を２ｍｍφのワイヤーで連結して摺動の速度を同一になるような構造であって、スライド部の両部分の中心部の端にガイドロールを取り付けた。【００３３】ガイド溝付きガイド体は、１５００ｍｍの長さ、幅８０ｍｍの樹脂体に１２ｍｍの幅、深さ２０ｍｍの溝体を彫り込み、溝体を上下二段で上段と下段の幅をテーブル台の厚さにして、前記ガイド体の中央部には上段の溝を７００ｍｍの長さで、両端部の一部に下段の溝を１５０ｍｍの長さで設けて、上段の溝の両端から両下段の溝の中央部に下降傾斜で接合させて、接合箇所にガイド体を取り付けて、ガイド溝を摺動するガイドピンの方向を決めて、中央部の副天板を上昇させて広伸状態になる仕組みになった。
【実施例３】
【００３４】実施例１と同様に、伸縮可能なテーブルである、長さ１０００ｍｍ、幅９００ｍｍの長方形の構造枠体で、前記枠体内に中間位置に２箇所の中間桟枠体を、また前記枠体の４箇所の隅に４本の脚を設けて、移動テーブル台の主天板の二枚と中央部に上昇する天板を持ち、長方形の構造枠体の長手枠材の両端位置に取り付けている二枚の主天板の厚さと同等な厚さで、中央部に幅９００ｍｍ、長さ３００ｍｍである長方形の上昇天板を持っており、前記主天板の下部にピン付きスライドレールと、そのピンの摺動によって各天板の移動を推進させるガイド溝付きガイド体とを、両サイド面に取り付けている伸縮可能な金具を使用したテーブルであった。【００３５】ピン付きスライドレールとそのピンの摺動によって天板の移動と上昇をガイド溝付きガイド体は、スライドレールの摺動によって天板の移動と上昇をガイド溝付き基体を左右に移動できる左右のテーブルで、中央テーブルである副天板を上昇して、左右それぞれ天板のスライドレールの移動によって前記の主天板と副天板とを滑動して、二枚の主天板の間に中央副テーブルを構造枠体の間に上昇して挿入できるようになった。【００３６】伸縮可能なテーブルは、構造枠体での両端位置にある細長長方体の枠体に、ピン付きスライドレールと、ピンを誘導して摺動する溝付きガイド体とを取り付け、ピン付きスライドレールは両端の主天板を下面で支持し、ピンを誘導して摺動する溝付きガイド体は中央部の副天板を下面で支持する構成になっており、前記両端の主天板の前端部を左右に摺動することによって、二枚の主天板板の中央部に副天板を挟んだ広伸状態とになり、内側に両端を摺動させると二枚の主天板のみ狭縮状態になった。【００３７】ピン付きスライドレールは、長さ９００ｍｍ金属製であって、外側にレール部を持ち、内部にスライド部になり、レール部にはベヤリングボールを取り付けて、摺動をスムーズにさせ、スライド部には中央から端部に摺動できるように二区分されており、各区分を２ｍｍφのワイヤーで連結して摺動の速度を同一になるような構造であって、スライド部の両部分の中心部の端にガイドロールを取り付けた。【００３８】ガイド溝付きガイド体は、７５００ｍｍの長さ、幅７０ｍｍの樹脂体に７ｍｍの幅、深さ１０ｍｍの溝体を彫り込み、溝体を上下二段で上段と下段の幅をテーブル台の厚さにして、前記ガイド体の中央部には上段の溝を６００ｍｍの長さで、両端部の一部に下段の溝を１００ｍｍの長さで設けて、上段の溝の両端から両下段の溝の中央部に下降傾斜で接合させて、接合箇所にガイド体を取り付けて、ガイド溝を摺動するガイドピンの方向を決めて、中央部の副天板を上昇させて広伸状態になる仕組みになった。
【符号の説明】
【００３９】１．  主天板（左右テーブル）
２．  副天板（中央テーブル）
３．  ピン付きスライドレール（ボールベアリングレール）
４．  ガイド体
５．  ガイド溝
６．  ピン
７．  脚
８．  ワイヤー
９．  インナーレール
１０．アウターレール
１１、構造枠体
１２．下降傾斜
１３．作動弁
１４．ピンロール
１５．取り付け穴
１６．桟枠体
１７．上下移動ガイド
１８．ストッパー
【図１】
0003210902.tif 000003
【図２】
0003210902.tif 000004
【図３】
0003210902.tif 000005
【図４】
0003210902.tif 000006
【図５】
0003210902.tif 000007
【図６】
0003210902.tif 000008
【手続補正書】
【提出日】平成29年3月17日(2017.3.17)
【手続補正１】
【補正対象書類名】実用新案登録請求の範囲
【補正対象項目名】全文
【補正方法】変更
【補正の内容】
【実用新案登録請求の範囲】
【請求項１】
伸縮可能なテーブルである、長さ９００〜１８００ｍｍ、幅６００〜１２００ｍｍの長方形の構造枠体を有するテーブルであって、前記枠体内に中間位置に２箇所の中間桟枠体を、また前記枠体の４箇所の隅に４本の脚を設けて、移動テーブル台の主天板の二枚と中央部に上下する副天板を持ち、長方形の構造枠体の長手枠材の両側位置に取り付けている二枚の主天板の厚さと同等な厚さで、中央部に幅６００〜１２００ｍｍ、長さ３００〜６００ｍｍである長方形の上下移動可能な副天板を持っており、前記主天板の下部にピン付きスライドレールと、そのピンの摺動によって各天板の移動を推進させるガイド溝付きガイド体とを、両縦サイド面に取り付けていることを特徴とする伸縮可能な金具を使用したテーブル。
【請求項２】
ピン付きスライドレールとそのピンの摺動によって各天板の移動と上下作動を推進するガイド溝付きガイド体は、構造枠体に固着された前記スライドレールのピンを前記ガイド体のガイド溝に係合され、スライドレールの摺動によってガイド溝付きガイド体を左右に移動できる左右の主天板に作用して、中央テーブルである副天板を上下作動して、左右それぞれ主天板のスライドレールの移動によって前記の主天板と副天板との摺動を伴って、構造枠体の中間位置で二枚の主天板の中央部に副天板を同一平面的に位置するようになっていることを特徴とする請求項１に記載の伸縮可能な金具を使用したテーブル。
【請求項３】
伸縮可能なテーブルは、構造枠体での両縦サイドに設けている細長長方形の枠体に、ピン付きスライドレールと、ピンを誘導して摺動する溝付きガイド体とを取り付けて、ピン付きスライドレールでは両側の二枚の左右の主天板の下面を支持し、ピンを誘導して摺動する溝付きガイド体では中央部の副天板の下面を支持させる構造になっており、前記両側の主天板の前端部を左右に摺動することによって、二枚の主天板の中央部に副天板を挟んだ広伸状態とになり、内側方向に両端の主天板を摺動させると二枚の主天板のみの狭縮状態になっていることを特徴とする請求項１、又は請求項２に記載の伸縮可能な金具を使用したテーブル。
【請求項４】
ピン付きスライドレールは、長さ９００〜１８００ｍｍ金属製であって、外側部にレール部を持ち、内側部にスライド部になり、レール部には、摺動をスムーズにさせるためにベヤリングボールを取り付けて、スライド部には中央から端部に摺動できるように両別れの二区分になっており、各区分を１〜４ｍｍφのワイヤーで連結して摺動の補助力と左右同一速度で滑動できるような構造であって、スライド部の両部分の中心部にガイドローラーを取り付けていることを特徴とする請求項１〜請求項３のいずれかに記載の伸縮可能な金具を使用したテーブル。
【請求項５】
ガイド溝付きガイド体は、５００〜１５００ｍｍの長さの樹脂体に７〜１５ｍｍの幅、１０〜２０ｍｍ深さの溝体を彫り込み、前記のスライド部の両部分の中心部に取り付けたガイドローラーをスムーズに摺動できるような構造になって、前記溝体には上段と下段との掘り込みになり、その間隔をテーブル台の厚さにして、上段の溝を前記ガイド体の上部中央には４００〜１０００ｍｍの長さに、下段の溝を下部の両端部一部に左右それぞれ１００〜３００ｍｍの長さに設けて、上段の溝の両端から両下段の溝の中央部に下降傾斜で接合させて、交差した箇所にはガイド溝を摺動するガイドピンの方向を決める作動弁を取り付けて、中央部の副天板を上下作動させて伸縮状態になる仕組みになっていることを特徴とする請求項１〜請求項３のいずれかに記載の伸縮金具を使用したテーブル。